(57)【要約】      （修正有）【課題】広範な面領域において、或いは、身体の表面から深さ方向に亘る広範な領域において変動磁場を発生させることができる磁気保健器を提供する。【解決手段】回転方向に沿って磁極が形性された円柱状磁石を回転駆動自在に構成した親機１０と、回転方向に沿って磁極が形性された円柱状磁石を回転自在に構成した子機２０とからなり、前記親機１０の円柱状磁石の回転駆動に従って前記子機２０の円柱状磁石を回転従動できるようにした磁気保健器。【選択図】図４
0003166142.tif 000002
【実用新案登録請求の範囲】
【請求項１】
回転方向に沿って磁極が形性された円柱状磁石を回転駆動自在に構成した親機と、回転方向に沿って磁極が形性された円柱状磁石を回転自在に構成した子機とからなり、前記親機の円柱状磁石の回転駆動に従って前記子機の円柱状磁石を回転従動できるようにしたことを特徴とする磁気保健器。
【請求項２】
前記親機と前記子機に前記円柱状磁石の回転を目視可能な窓部を設けたことを特徴とする請求項１記載の磁気保健器。
【請求項３】
パルスモータで前記円柱状磁石を回転駆動するようにしたことを特徴とする請求項１又は２記載の磁気保健器。
【請求項４】
前記円柱状磁石の周面にコイルを対向配置し、前記コイルに正逆交互に一定周期で電流を流すことで前記円柱状磁石を回転駆動するようにしたことを特徴とする請求項１又は２記載の磁気保健器。
【請求項５】
前記親機及び前記子機の裏面に貼着部を設けたことを特徴とする請求項１乃至４の何れかに記載の磁気保健器。
【考案の詳細な説明】
【技術分野】
【０００１】
本考案は、保健のために身体や衣服その他に貼着したり、固定手段を介して取り付けたりして使用し得る携帯自在の磁気保健器に関する。
【背景技術】
【０００２】
従来、この種の磁気保健器としては、本考案者による実公平３−１００９号公報に開示されるような変動磁場を利用した磁気保健器が知られている。即ち、回転方向に沿って磁極が形性された円柱状磁石を回転駆動させることにより変動磁場を発生させ、この変動磁場を利用して保健効果を得るようにしたものが知られ、各種製品として実用化されている。
【０００３】
しかしながら、前記磁気保健器の場合、貼着した部位や取り付けた部位における、限られた、いわゆる点的な領域においてのみ変動磁場を発生させることができるものであった。従って、広範な面領域において、或いは、身体の表面から深さ方向に亘る広範な領域において変動磁場を発生させることができないものであった。
【先行技術文献】
【特許文献】
【０００４】
【特許文献１】実公平３−１００９号公報
【考案の概要】
【考案が解決しようとする課題】
【０００５】
そこで、本考案は広範な面領域において、或いは、身体の表面から深さ方向に亘る広範な領域において変動磁場を発生させることができる磁気保健器を提供することを目的とする。
【課題を解決するための手段】
【０００６】
本考案者は、前記課題を解決するべく鋭意検討の結果、回転方向に沿って磁極が形性された円柱状磁石を回転駆動させることにより変動磁場を発生させることができる親機と、これに従動して、変動磁場を発生する回転自在の円柱状磁石を備える子機を組み合わせることにより前記課題を解決できることを見いだした。
即ち、本考案の磁気保健器は、請求項１記載の通り、回転方向に沿って磁極が形性された円柱状磁石を回転駆動自在に構成した親機と、回転方向に沿って磁極が形性された円柱状磁石を回転自在に構成した子機とからなり、前記親機の円柱状磁石の回転駆動に従って前記子機の円柱状磁石を回転従動できるようにしたことを特徴とする。
また、請求項２記載の磁気保健器は、請求項１記載の磁気保健器において、前記親機と前記子機に前記円柱状磁石の回転を目視可能な窓部を設けたことを特徴とする。
また、請求項３記載の磁気保健器は、請求項１又は２記載の磁気保健器において、パルスモータで前記円柱状磁石を回転駆動するようにしたことを特徴とする。
また、請求項４記載の磁気保健器は、請求項１又は２記載の磁気保健器において、前記円柱状磁石の周面にコイルを対向配置し、前記コイルに正逆交互に一定周期で電流を流すことで前記円柱状磁石を回転駆動するようにしたことを特徴とする。
また、請求項５記載の磁気保健器は、請求項１乃至４の何れかに記載の磁気保健器において、前記親機及び前記子機の裏面に貼着部を設けたことを特徴とする。
【考案の効果】
【０００７】
本考案の磁気保健器は、例えば、同一平面において、親機の周囲の任意の場所に子機を１個又は複数個配置することで、親機の円柱状磁石の回転駆動によって親機の周囲に変動磁場を発生させるとともに、前記親機の円柱状磁石の回転駆動に伴って、親機と子機の円柱状磁石の磁極による吸引、反発力によって従動する子機の円柱状磁石の回転従動によって子機の周囲にも変動磁場を発生させることとなり、親機と子機の間を含め、これら親機、子機の全周囲に亘る広範囲な面領域において変動磁場を発生させることができる。また、例えば、親機を腕の表側に配置し、子機を腕の対応する裏側に配置することで、親機の円柱状磁石の回転駆動と、それに伴う子機の円柱状磁石の回転従動により、親機と子機の間にも変動磁場が発生し、当該腕の表側から裏側に亘る深さ方向にも変動磁場を発生させることができ、優れた保健効果が得られるものである。
【図面の簡単な説明】
【０００８】
【図１】図１は本考案磁気保健器の親機の斜視図である。
【図２】図２は本考案磁気保健器の親機の蓋を外した状体の斜視図である。
【図３】図３は本考案磁気保健器の子機の蓋を外した状体の斜視図である。
【図４】図４は本考案磁気保健器の使用状態を示す斜視図である。
【図５】図５の使用状態における親機と子機の円柱状磁石の回転方向と磁場の磁力線の方向を示す説明図である。
【図６】図６は本考案磁気保健器の他の使用状態を示す斜視図である。
【考案を実施するための形態】
【０００９】
次に、本考案磁気保健器の実施の形態につき図面に基づき説明する。
図１は本考案磁気保健器の親機１０の斜視図であり、楕円形の基体１１に、透明窓１２ａを備えた同じく楕円形の蓋体１２が被冠され、前記透明窓１２ａを介して図２において説明する円柱状磁石１４の回転を目視できるようにした。尚、前記円柱状磁石１４の回転を目視できるようにするために前記円柱状磁石１４に着色を施す場合、回転方向に沿って区分形性された磁極の区分に合わせて着色してもよいが、磁極の区分とは関係なく任意に着色してもかまわない。
本実施例の場合、基体１１及び蓋体１２は合成樹脂で形性した。尚、透明窓１２ａは蓋体１２と別体でも一体でもかまわない。
【００１０】
図２は親機１０の蓋体１２を外した状態の斜視図を示すもので、基体１１上に設けられた樹脂製ケーシング１３に、回転方向に沿って磁極が形性された希土類系の円柱状磁石１４をシャフト１５を介して回転自在に軸支するとともに、前記ケーシング１３にコイル１６を渦巻状に巻回して前記円柱状磁石１４の周面に渦巻状コイル１６が配置されるようにした。図中１７は電源としての電池を示し、また、図中１８は一定周期でコイル１６への通電電流を正逆方向に切り替えられるようにした通電回路基板を示すものである。また、図中１９は、前記コイル１６上にハの字状に設けた鉄片を示し、前記親機１０の円柱状磁石１４の停止時に、磁極の境界面をコイルの巻回面に対して傾斜させて、円柱状磁石の始動をスムーズに行えるようにするために設けたものである。
かくして、図略のスイッチにより電源１７をオンすることで、前記通電回路基板１８を介して前記コイル１６へ一定周期で正逆方向を切り替えられた電流が通電され、コイル１６に流れる電流によって生じるコイル１６の磁極の変動に伴い前記円柱状磁石１４が回転駆動されることとなる。
本実施例では、円柱状磁石１４の回転駆動を、コイル１６と電源と、通電回路基板１８というシンプルでコンパクトな構成で正確に制御できるようにした。
尚、前記親機１０の基体１１の裏面には図略の両面粘着テープによる粘着部を設け、任意の場所に貼着自在に構成した。
【００１１】
子機２０の外観形状は図４に示す通り、親機１０の相似形に形成するものとし、但し、透明窓２２ａは蓋体２２の中心部に設けるようにした。尚、基体２１及び蓋体２２は親機１０と同じく合成樹脂で形成した。また、透明窓２２ａは親機１０と同様に蓋体２２と別体でも一体でもかまわない。
図３は、子機２０の蓋体２２を外した状態の斜視図を示すもので、基体２１の底面にシャフト受け２３を設け、回転方向に沿って磁極が形性された希土類系の円柱状磁石２４をシャフト２５を介して回転自在に軸支するようにした。
また、前記子機２０の基体２１の裏面にも、前記親機１０と同様に、図略の両面粘着テープによる粘着部を設け、任意の場所に貼着自在に構成した。
尚、前記親機１０及び子機の貼着乃至取り付け手段は、前記両面粘着テープを利用したものに限定されるものではなく、磁気保健器の適用部位や使用環境に応じ、貼着用粘着ジェル等、任意に選択できる。
【００１２】
図４は、本考案磁気保健器の使用例を示すもので、１個の親機１０の周囲に図面で上下左右各１個の子機２０を配置したもので、親機１０の円柱状磁石１４を回転駆動させると、前記親機１０の円柱状磁石１４の回転駆動に伴って、親機１０の円柱状磁石１４と、各子機２０の円柱状磁石２４の磁極による吸引、反発力によって各子機２０の円柱状磁石２４も回転従動することとなる。かくして、親機１０と各子機２０の間を含め、これら親機１０、子機２０，２０，２０，２０の全周囲に亘る広範囲な面領域において変動磁場を発生させることができる。
図５は、図４に示される配置における親機１０の円柱状磁石１４と子機２０の円柱状磁２４の回転方向と磁力線の方向を説明するもので、図５（ａ）の状態では、親機１０と各子機２０には破線で示される磁場が発生しており、親機１０が実線で示す方向に回転し始めると、各子機２０はそれそれ実線で示される方向に回転する。図５（ｂ）は前記親機１０の円柱状磁石１４が１８０°回転した状態を示すもので、親機１０と各子機２０には破線で示される磁場が発生し、図５（ｂ）の状態から更に親機１０の円柱状磁石１４が実線方向に１８０°回転すると各子機２０はそれぞれ実線方向で示す方向に回転し、図５（ａ）の状態に戻り、このように１８０°の周期的な間欠的な回転に伴って変動磁場が発生することとなる。
【００１３】
図６は、本考案磁気保健器の他の使用例を示すもので、左手の表面側に親機１０を、対応する裏面側に子機２０を配置したもので、親機１０の円柱状磁石１４を回転駆動させることにより、子機２０の円柱状磁石２４が回転従動し、親機１０と子機２０の間にも変動磁場が発生し、左手の表面側から裏面側の深部に渡って深さ方向にも変動磁場が発生することになる。
また、特に図示しないが、前記の通り、親機と子機に窓部を設けることで、例えば、背中に親機を配置して、子機を腹部に配置した場合、腹部の子機の円柱状磁石の従動を確認することで、見えない背中側の親機の回転駆動を確認することができる。
【産業上の利用可能性】
【００１４】
本考案磁気保健器は広範な面領域、或いは、表面から深さ方向に亘る広範な領域で変動磁場を形性でき、磁気保健器として有用である。
【符号の説明】
【００１５】
１０  親機
１１  基体
１２  蓋体
１２ａ窓部
１３  ケーシング
１４  円柱状磁石
１５  シャフト
１６  コイル
１７  電源
１８  通電回路
１９  鉄片
２０  子機
２１  基体
２２  蓋体
２２ａ窓部
２３  シャフト受け
２４  円柱状磁石
２５  シャフト
【図１】
0003166142.tif 000003
【図２】
0003166142.tif 000004
【図３】
0003166142.tif 000005
【図４】
0003166142.tif 000006
【図５】
0003166142.tif 000007
【図６】
0003166142.tif 000008
【手続補正書】
【提出日】平成22年12月13日(2010.12.13)
【手続補正１】
【補正対象書類名】実用新案登録請求の範囲
【補正対象項目名】全文
【補正方法】変更
【補正の内容】
【実用新案登録請求の範囲】
【請求項１】
回転方向に沿って磁極が形成された円柱状磁石をシャフトを介してケーシングに回転駆動自在に設けた親機と、回転方向に沿って磁極が形成された円柱状磁石をシャフトを介してケーシングに回転自在に設けた子機とからなり、前記親機の円柱状磁石の回転駆動に従って前記子機の円柱状磁石を回転従動できるようにした磁気保健器であって、前記親機の円柱状磁石の周面にコイルを対向配置し、前記コイルに正逆交互に一定周期で電流を流すことで前記円柱状磁石を回転駆動するようにしたことを特徴とする磁気保健器。
【請求項２】
回転方向に沿って磁極が形成された円柱状磁石をシャフトを介してケーシングに回転駆動自在に設けた親機と、回転方向に沿って磁極が形成された円柱状磁石をシャフトを介してケーシングに回転自在に設けた子機とからなり、前記親機の円柱状磁石の回転駆動に従って前記子機の円柱状磁石を回転従動できるようにした磁気保健器であって、パルスモータで前記親機の円柱状磁石を回転駆動するようにしたことを特徴とする磁気保健器。
【請求項３】
前記親機と前記子機に前記円柱状磁石の回転を目視可能な窓部を設けたことを特徴とする請求項１又は２記載の磁気保健器。
【請求項４】
前記親機及び前記子機の裏面に貼着部を設けたことを特徴とする請求項１乃至３の何れかに記載の磁気保健器。
【手続補正２】
【補正対象書類名】明細書
【補正対象項目名】全文
【補正方法】変更
【補正の内容】
【考案の詳細な説明】
【技術分野】
【０００１】
本考案は、保健のために身体や衣服その他に貼着したり、固定手段を介して取り付けたりして使用し得る携帯自在の磁気保健器に関する。
【背景技術】
【０００２】
従来、この種の磁気保健器としては、本考案者による実公平３−１００９号公報に開示されるような変動磁場を利用した磁気保健器が知られている。即ち、回転方向に沿って磁極が形成された円柱状磁石を回転駆動させることにより変動磁場を発生させ、この変動磁場を利用して保健効果を得るようにしたものが知られ、各種製品として実用化されている。
【０００３】
しかしながら、前記磁気保健器の場合、貼着した部位や取り付けた部位における、限られた、いわゆる点的な領域においてのみ変動磁場を発生させることができるものであった。従って、広範な面領域において、或いは、身体の表面から深さ方向に亘る広範な領域において変動磁場を発生させることができないものであった。
【先行技術文献】
【特許文献】
【０００４】
【特許文献１】実公平３−１００９号公報
【考案の概要】
【考案が解決しようとする課題】
【０００５】
そこで、本考案は広範な面領域において、或いは、身体の表面から深さ方向に亘る広範な領域において変動磁場を発生させることができる磁気保健器を提供することを目的とする。
【課題を解決するための手段】
【０００６】
本考案者は、前記課題を解決するべく鋭意検討の結果、回転方向に沿って磁極が形成された円柱状磁石を回転駆動させることにより変動磁場を発生させることができる親機と、これに従動して、変動磁場を発生する回転自在の円柱状磁石を備える子機を組み合わせることにより前記課題を解決できることを見いだした。
即ち、本考案の磁気保健器は、請求項１記載の通り、回転方向に沿って磁極が形成された円柱状磁石をシャフトを介してケーシングに回転駆動自在に設けた親機と、回転方向に沿って磁極が形成された円柱状磁石をシャフトを介してケーシングに回転自在に設けた子機とからなり、前記親機の円柱状磁石の回転駆動に従って前記子機の円柱状磁石を回転従動できるようにした磁気保健器であって、前記親機の円柱状磁石の周面にコイルを対向配置し、前記コイルに正逆交互に一定周期で電流を流すことで前記円柱状磁石を回転駆動するようにしたことを特徴とする。
また、本考案の磁気保健器は、請求項２記載の通り、回転方向に沿って磁極が形成された円柱状磁石をシャフトを介してケーシングに回転駆動自在に設けた親機と、回転方向に沿って磁極が形成された円柱状磁石をシャフトを介してケーシングに回転自在に設けた子機とからなり、前記親機の円柱状磁石の回転駆動に従って前記子機の円柱状磁石を回転従動できるようにした磁気保健器であって、パルスモータで前記親機の円柱状磁石を回転駆動するようにしたことを特徴とする。
また、請求項３記載の磁気保健器は、請求項１又は２記載の磁気保健器において、前記親機と前記子機に前記円柱状磁石の回転を目視可能な窓部を設けたことを特徴とする。
また、請求項４記載の磁気保健器は、請求項１乃至３の何れかに記載の磁気保健器において、前記親機及び前記子機の裏面に貼着部を設けたことを特徴とする。
【考案の効果】
【０００７】
本考案の磁気保健器は、例えば、同一平面において、親機の周囲の任意の場所に子機を１個又は複数個配置することで、親機の円柱状磁石の回転駆動によって親機の周囲に変動磁場を発生させるとともに、前記親機の円柱状磁石の回転駆動に伴って、親機と子機の円柱状磁石の磁極による吸引、反発力によって従動する子機の円柱状磁石の回転従動によって子機の周囲にも変動磁場を発生させることとなり、親機と子機の間を含め、これら親機、子機の全周囲に亘る広範囲な面領域において変動磁場を発生させることができる。また、例えば、親機を腕の表側に配置し、子機を腕の対応する裏側に配置することで、親機の円柱状磁石の回転駆動と、それに伴う子機の円柱状磁石の回転従動により、親機と子機の間にも変動磁場が発生し、当該腕の表側から裏側に亘る深さ方向にも変動磁場を発生させることができ、優れた保健効果が得られるものである。
【図面の簡単な説明】
【０００８】
【図１】図１は本考案磁気保健器の親機の斜視図である。
【図２】図２は本考案磁気保健器の親機の蓋を外した状体の斜視図である。
【図３】図３は本考案磁気保健器の子機の蓋を外した状体の斜視図である。
【図４】図４は本考案磁気保健器の使用状態を示す斜視図である。
【図５】図５の使用状態における親機と子機の円柱状磁石の回転方向と磁場の磁力線の方向を示す説明図である。
【図６】図６は本考案磁気保健器の他の使用状態を示す斜視図である。
【考案を実施するための形態】
【０００９】
次に、本考案磁気保健器の実施の形態につき図面に基づき説明する。
図１は本考案磁気保健器の親機１０の斜視図であり、楕円形の基体１１に、透明窓１２ａを備えた同じく楕円形の蓋体１２が被冠され、前記透明窓１２ａを介して図２において説明する円柱状磁石１４の回転を目視できるようにした。尚、前記円柱状磁石１４の回転を目視できるようにするために前記円柱状磁石１４に着色を施す場合、回転方向に沿って区分形成された磁極の区分に合わせて着色してもよいが、磁極の区分とは関係なく任意に着色してもかまわない。
本実施例の場合、基体１１及び蓋体１２は合成樹脂で形成した。尚、透明窓１２ａは蓋体１２と別体でも一体でもかまわない。
【００１０】
図２は親機１０の蓋体１２を外した状態の斜視図を示すもので、基体１１上に設けられた樹脂製ケーシング１３に、回転方向に沿って磁極が形成された希土類系の円柱状磁石１４をシャフト１５を介して回転自在に軸支するとともに、前記ケーシング１３にコイル１６を渦巻状に巻回して前記円柱状磁石１４の周面に渦巻状コイル１６が配置されるようにした。図中１７は電源としての電池を示し、また、図中１８は一定周期でコイル１６への通電電流を正逆方向に切り替えられるようにした通電回路基板を示すものである。また、図中１９は、前記コイル１６上にハの字状に設けた鉄片を示し、前記親機１０の円柱状磁石１４の停止時に、磁極の境界面をコイルの巻回面に対して傾斜させて、円柱状磁石の始動をスムーズに行えるようにするために設けたものである。
かくして、図略のスイッチにより電源１７をオンすることで、前記通電回路基板１８を介して前記コイル１６へ一定周期で正逆方向を切り替えられた電流が通電され、コイル１６に流れる電流によって生じるコイル１６の磁極の変動に伴い前記円柱状磁石１４が回転駆動されることとなる。
本実施例では、円柱状磁石１４の回転駆動を、コイル１６と電源と、通電回路基板１８というシンプルでコンパクトな構成で正確に制御できるようにした。
尚、前記親機１０の基体１１の裏面には図略の両面粘着テープによる粘着部を設け、任意の場所に貼着自在に構成した。
【００１１】
子機２０の外観形状は図４に示す通り、親機１０の相似形に形成するものとし、但し、透明窓２２ａは蓋体２２の中心部に設けるようにした。尚、基体２１及び蓋体２２は親機１０と同じく合成樹脂で形成した。また、透明窓２２ａは親機１０と同様に蓋体２２と別体でも一体でもかまわない。
図３は、子機２０の蓋体２２を外した状態の斜視図を示すもので、基体２１の底面にシャフト受け２３を設け、回転方向に沿って磁極が形成された希土類系の円柱状磁石２４をシャフト２５を介して回転自在に軸支するようにした。
また、前記子機２０の基体２１の裏面にも、前記親機１０と同様に、図略の両面粘着テープによる粘着部を設け、任意の場所に貼着自在に構成した。
尚、前記親機１０及び子機の貼着乃至取り付け手段は、前記両面粘着テープを利用したものに限定されるものではなく、磁気保健器の適用部位や使用環境に応じ、貼着用粘着ジェル等、任意に選択できる。
【００１２】
図４は、本考案磁気保健器の使用例を示すもので、１個の親機１０の周囲に図面で上下左右各１個の子機２０を配置したもので、親機１０の円柱状磁石１４を回転駆動させると、前記親機１０の円柱状磁石１４の回転駆動に伴って、親機１０の円柱状磁石１４と、各子機２０の円柱状磁石２４の磁極による吸引、反発力によって各子機２０の円柱状磁石２４も回転従動することとなる。かくして、親機１０と各子機２０の間を含め、これら親機１０、子機２０，２０，２０，２０の全周囲に亘る広範囲な面領域において変動磁場を発生させることができる。
図５は、図４に示される配置における親機１０の円柱状磁石１４と子機２０の円柱状磁２４の回転方向と磁力線の方向を説明するもので、図５（ａ）の状態では、親機１０と各子機２０には破線で示される磁場が発生しており、親機１０が実線で示す方向に回転し始めると、各子機２０はそれぞれ実線で示される方向に回転する。図５（ｂ）は前記親機１０の円柱状磁石１４が１８０°回転した状態を示すもので、親機１０と各子機２０には破線で示される磁場が発生し、図５（ｂ）の状態から更に親機１０の円柱状磁石１４が実線方向に１８０°回転すると各子機２０はそれぞれ実線方向で示す方向に回転し、図５（ａ）の状態に戻り、このように１８０°の周期的な間欠的な回転に伴って変動磁場が発生することとなる。
【００１３】
図６は、本考案磁気保健器の他の使用例を示すもので、左手の表面側に親機１０を、対応する裏面側に子機２０を配置したもので、親機１０の円柱状磁石１４を回転駆動させることにより、子機２０の円柱状磁石２４が回転従動し、親機１０と子機２０の間にも変動磁場が発生し、左手の表面側から裏面側の深部に渡って深さ方向にも変動磁場が発生することになる。
また、特に図示しないが、前記の通り、親機と子機に窓部を設けることで、例えば、背中に親機を配置して、子機を腹部に配置した場合、腹部の子機の円柱状磁石の従動を確認することで、見えない背中側の親機の回転駆動を確認することができる。
【産業上の利用可能性】
【００１４】
本考案磁気保健器は広範な面領域、或いは、表面から深さ方向に亘る広範な領域で変動磁場を形成でき、磁気保健器として有用である。
【符号の説明】
【００１５】
１０  親機
１１  基体
１２  蓋体
１２ａ窓部
１３  ケーシング
１４  円柱状磁石
１５  シャフト
１６  コイル
１７  電源
１８  通電回路
１９  鉄片
２０  子機
２１  基体
２２  蓋体
２２ａ窓部
２３  シャフト受け
２４  円柱状磁石
２５  シャフト